(57)【要約】【課題】芳香性能を向上することができ、使い勝手が良い芳香装置を提供する。【解決手段】芳香成分を含む固形物Ａを収容する芳香装置１０であって、固形物Ａを内部に収容可能な空間Ｓを有する収容ケース１２と、該固形物Ａを挿入する開口１６に取り付ける蓋部１３とで構成される収容体１１と、収容体１１に取り付けられた装着手段１５とを備え、収容体１１の少なくとも一部が、空間Ｓと該収容体１１の外部とを通気するように網目状に形成されている。【選択図】図３
2008061813.tif 000002
【特許請求の範囲】
【請求項１】
芳香成分を含む固形物を収容する芳香装置であって、
前記固形物を内部に収容可能な空間を有する収容ケースと、該固形物を挿入する開口に取り付ける蓋部とで構成される収容体と、
前記収容体に取り付けられた装着手段とを備え、
前記収容体の少なくとも一部が、前記空間と該収容体の外部とを通気するように網目状に形成されていることを特徴とする芳香装置。
【請求項２】
前記装着手段が、使用者の首に吊り掛けることが可能な紐部材であることを特徴とする請求項１に記載の芳香装置。
【請求項３】
前記装着手段が、使用者の手首または腕に装着することが可能なベルト状部材であることを特徴とする請求項１に記載の芳香装置。
【請求項４】
前記装着手段が、携帯電話に装着することが可能なストラップ部材またはストラップ以外の部材、あるいは胸ポケットや胸元に取り付け可能な部材であることを特徴とする請求項１に記載の芳香装置。
【請求項５】
前記収容ケースの少なくとも一部が、外部から空間内を視認できるように透明又は半透明な材料から構成されていることを特徴とする請求項１から４のいずれか１つに記載の芳香装置。
【請求項６】
前記固形物が、前記芳香成分を含むグミ状であることを特徴とする請求項１から５のいずれか１つに記載の芳香装置。
【請求項７】
前記芳香成分が精油であることを特徴とする請求項１から６のいずれか１つに記載の芳香装置。
【発明の詳細な説明】
【技術分野】
【０００１】
本発明は、芳香成分を含む固形物を収容できる芳香装置に関し、特に、装身具として利用することや携帯するものに着脱することが可能な芳香装置に関する。
【背景技術】
【０００２】
芳香装置は、使用者自身が身につけること又は使用者の所持品に装着することで、使用者の好みや特定の目的に応じて、周囲に芳香を漂わさせるものである。芳香装置の目的としては、例えば、使用者自身の周囲に芳香を漂わせることで人ごみや混雑した電車等で他人の放つ臭気を紛らわすことが挙げられる。
従って、本発明の装置の使用方法は、基本的に芳香を使用者が身近に感じることのできるあらゆる部分である。具体的には、ネックレス、胸ペンダント、手首、使用時に顔に近づける携帯電話に取り付けたストラップやストラップ以外にも携帯電話に取り付け可能なものなどがあげられるが、本発明は使用者の装着方法には限定されない。
【０００３】
従来の芳香装置は、例えば、図１２に示す構成のものがある。芳香装置１００は、本体ケース１０３と、本体キャップ１０４とを備えている。また、本体キャップ１０４には、使用者の首に吊り掛けるためのチェーン１０５が取り付けられている。本体ケース１０３には、吸油性を有する専用フィルタ１０６が収容されている。使用時には、精油ボトル１０１から所定の量（例えば２〜３滴）の芳香成分を含む精油１０７を専用フィルタ１０６に染み込ませ、本体キャップ１０４によって本体ケース１０３を塞ぐ。本体ケース１０３に収容された精油１０７は、使用者の体温によって揮発し、本体キャップ１０４に形成された開口１０５から芳香装置１００の周囲の雰囲気へ揮散する。
【発明の開示】
【発明が解決しようとする課題】
【０００４】
しかし、従来の芳香装置１００は、芳香が弱くなった際に再び精油を供給することが必要である。このとき、使用者は、本体キャップ１０４を取り外して、精油ボトル１０１から精油を注入する作業を行うが、特に外出先などで精油を専用フィルタ１０６に注入しづらく、煩雑である点で改善の余地があった。
また、本体キャップ１０４の開口から揮散する芳香量が少ないため、使用環境によっては芳香性能が十分に確保されているとはいえなかった。
さらに、本体ケース１０３に収容された専用フィルタ１０６に精油をしみこませるため、芳香装置１００は、どのような種類の精油が入っているのか外見からは判別できないうえ、使用者自身がどのような種類の精油を使用してしまうかわからなくなることがあり、使い勝手が悪かった。
【０００５】
本発明は、上記事情に鑑みてなされたもので、その目的は、芳香性能を向上することができ、使い勝手が良い芳香装置を提供することにある。
【課題を解決するための手段】
【０００６】
本発明の上記目的は、以下の構成によって達成される。
（１）芳香成分を含む固形物を収容する芳香装置であって、前記固形物を内部に収容可能な空間を有する収容ケースと、該固形物を挿入する開口に取り付ける蓋部とで構成される収容体と、前記収容体に取り付けられた装着手段とを備え、前記収容体の少なくとも一部が、前記空間と該収容体の外部とを通気するように網目状に形成されていることを特徴とする芳香装置。
（２）前記装着手段が、使用者の首に吊り掛けることが可能な紐部材であることを特徴とする上記（１）に記載の芳香装置。
（３）前記装着手段が、使用者の手首または腕に装着することが可能なベルト状部材であることを特徴とする上記（１）に記載の芳香装置。
（４）前記装着手段が、携帯電話に装着することが可能なストラップ部材またはストラップ以外の部材、あるいは胸ポケットや胸元に取り付け可能な部材であることを特徴とする上記（１）に記載の芳香装置。
（５）前記収容ケースの少なくとも一部が、外部から空間内を視認できるように透明又は半透明な材料から構成されていることを特徴とする上記（１）から（４）のいずれか１つに記載の芳香装置。
（６）前記固形物が、前記芳香成分を含むグミ状であることを特徴とする上記（１）から（５）のいずれか１つに記載の芳香装置。
（７）前記芳香成分が精油であることを特徴とする上記（１）から（６）のいずれか１つに記載の芳香装置。
【０００７】
本発明の芳香装置は、芳香成分を含む固形物を収容する収容体の少なくとも一部が網目状に形成されているため、収容体内部で揮発する芳香成分を網目状の部位を通して外部に揮散させることができる。
芳香装置を使用する際には、収容体に予め芳香成分を含んだ固形物を挿入すればよく、従来のように精油を注ぎ込むといった煩雑な作業を行う必要がなく、取り扱いやすい。
また、収容体に単一又は複数の開口を形成する構成にくらべて、網目状に形成することで、揮散させる芳香成分の芳香量を多くすることができ、芳香性能を十分に確保することができる。
さらに、使用者は、網目状の部位から収容体の内部を外見で判別することができ、蓋部を閉じたままの状態で収容体に固形物が収容されているか否かを判別できるため、使い勝手が良い。
【発明の効果】
【０００８】
本発明によれば、芳香性能を向上することができ、使い勝手が良い芳香装置を提供できる。
【発明を実施するための最良の形態】
【０００９】
以下、本発明の実施形態を図面に基づいて詳しく説明する。
図１は、本発明の芳香装置の第１実施形態の構成を説明する図である。図２は、第１実施形態の芳香装置の別の状態を示す図である。図３は、第１実施形態の芳香装置の使用手順を説明する図である。図４は、第１実施形態の芳香装置の使用形態の一例を示す図である。
【００１０】
最初に、第１実施形態の芳香装置の構成を説明する。
芳香装置１０は、芳香成分を含む固形物Ａを収容する構造である。芳香装置１０は、固形物Ａを内部に収容可能な空間Ｓを有する収容ケース１２と、固形物を挿入する開口１６に取り付ける蓋部１３とで構成される収容体１１を備えている。芳香成分及び固形物Ａについては、後述する。
【００１１】
本実施形態の収容体１１は、収容ケース１２及び蓋部１３がそれぞれ半球形状に形成されている。収容ケース１２の内側の、蓋部１３側の縁部にはねじ溝１２ａが形成されている。また、蓋部１３外側の収容ケース１２側の縁部にはねじ溝１３ａが形成されている。図２に示すように、収容ケース１２と蓋部１３とは、それぞれのねじ溝１２ａ，１３ａによって螺合することで、略球形状の収容体１１を構成する。収容ケース１２と蓋部１３とを組み合わせる構成としては、両者を確実に組み合わせることができれば、ねじ溝１２ａ，１３ａによって螺合させる構成に限定されない。例えば、収容ケース１２と蓋部１３のうち一方に係合突起を設けて他方に嵌め合わせる構成としてもよい。
【００１２】
蓋部１３の外側面の上部には連結冶具１４が形成され、連結冶具１４には、連結孔１４ａが開口されている。
【００１３】
連結冶具１４の連結孔１４ａには、装着手段である長尺の紐部材１５が挿通されている。
【００１４】
紐部材１５の材料としては、連結冶具１４に連結させた状態を維持できれば特に限定されず、金属，合成繊維，木材，布，ゴムなどを使用することができる。
また、紐部材１５の形状としては、直線状、チェーン状、三つ編等に編み合わせた形状などとすることができる。
さらに、紐部材１５は、複数の紐部材から形成されていてもよい。
【００１５】
紐部材１５は、使用する形態に応じて長尺方向に所定の長さを有している。紐部材１５には、その長さを調節できるように、例えば、ベルトと該ベルトを留めるバックルを有していてもよく、紐部材１５の一部を残りの他の部位に係止させて保持する係止部が設けられている構成としてもよい。
【００１６】
本実施形態では、収容ケース１２及び蓋部１３が、空間Ｓと収容体１１の外部とを通気できるように網目状に形成されている。ここで、収容ケース１２及び蓋部１３の全部が網目状に形成されていてもよく、または、収容ケース１２及び蓋部１３の少なくとも一部が網目状に形成されていてもよい。
【００１７】
収容ケース１２及び蓋部１３の材料は、その少なくとも一部を網目状に形成することができれば特に限定されず、例えば、合成樹脂，金属，木，布，紙，ゴムなどを使用することができる。
【００１８】
網目の形状としては、収容体１１の内部の固形物の芳香を妨げることなく且つ外部より視認することができる範囲で任意に設計することができ、例えば、網目の形状を六角形，四角形，三角形等の多角形や、円形や、文字又は記号を模った形状などとすることができる。
【００１９】
収容体１１の形状は、本実施形態の球体状に限定されず、内部に固形物を収容可能であれば、例えば、立方体、直方体、円筒体、角筒体、三角錐、円錐、文字や記号を模った形体、あるいはこれらを組み合わせた形体とすることができる。
【００２０】
収容体１１に形成する網目状の面積は、収容体１１の全表面積に対して、10％以上100％以下の範囲とすることが好ましい。また、開口率では全表面積の10％以上90％以下の範囲にすることが好ましい。こうすることで、芳香装置１０の周囲の雰囲気に、収容体１１の内部に収容された固形物から揮発する芳香を効率良く揮散することができる。
【００２１】
次に、本実施形態の芳香装置１０の使用手順を説明する。
図３に示すように、使用前において収容ケース１２から蓋部１３と取り外した状態で、収容ケース１２の開口１６から固形物Ａを入れる。この際、芳香、形状の異なる、複数の芳香固形物を入れてもよい。その後、収容ケース１２に蓋部１３を取り付ける。そして、図４に示すように、使用者Ｈが首に紐部材１５を吊り掛ける。
【００２２】
使用者Ｈの体温によって収容体１１の内部に収容された固形物Ａから芳香が揮発し、収容体１１に形成された網目状の部位を通過し、芳香装置１０の外部に芳香が揮散する。こうすることで、使用者Ｈの周囲の雰囲気に芳香を揮散させることができる。
【００２３】
次に、本発明にかかる芳香成分について説明する。
芳香成分としては、例えば、精油、精油に含まれる有効成分、合成香料、動物性香料、これらの有効成分や単体化合物などが好適に挙げられ、精油または精油に含まれる有効成分が好ましい。
【００２４】
本発明に使用する精油としては、例えば、イランイラン精油、ゼラニウム精油、ラベンダー精油、ジャスミン精油、カモミール精油、ラベンティン精油、ヒソップ精油、ローズ精油、ネロリ精油、シダーウッド精油、ユーカリ精油、サイプレス精油、ヒノキ精油、サンダルウッド精油、ジュニパー精油、ティートリー精油、パイン精油、パチュリ精油、オレンジ精油、グレープフルーツ精油、ライム精油、レモングラス精油、レモン精油、シトロネラ精油、ベルガモット精油、ペパーミント精油、ローズマリー精油、クラリセージ精油、クローブ精油、タイム精油、フェンネル精油、マジョラム精油、メリッサ精油、ローズウッド精油、バジル精油、バテ精油、シナモン精油等の天然の精油が挙げられる。このなかでも特に、イランイラン精油、ゼラニウム精油、シダーウッド精油、ユーカリ精油、サイプレス精油、オレンジ精油、グレープフルーツ精油、ライム精油、ペパーミント精油、ローズマリー精油が好ましい。また、これらの精油を複数組み合わせて用いてもよい。
【００２５】
精油の有効成分としては、例えば、リナロール、酢酸リナリル、１‐リモネン、１‐メントール、α‐ピネン、β‐ピネン、シトラール、シネオール、ｄ‐カンファー、チモール、オイゲノール、ケイヒアルデヒド、カマズレン、ツヤノール‐4、ボルネオール、α‐テルピネオール、β‐テルピネオール、テルピネノール‐4、ゲラニオール、ネロール、α‐サンタロールβ‐サンタロール、カロトール、セドロール、ビリジフロロール、スクラレオール、サフロール、アピオール、ミリスチシン、メチルカビコール、アネトール、スクラレオールオキサイド、マノイルオキサイド、シトロネラールなどが挙げられる。また、これらの有効成分を複数組み合わせて用いてもよい。
【００２６】
固形物Ａは、芳香成分を含んでいる。固形物Ａにおける芳香成分の含有量は、適宜調整できるが、０．１〜８０質量％が好ましく、１〜７０質量％がより好ましく、５〜６０質量％が特に好ましい。
【００２７】
固形物Ａは、流動性を有しないものであって、収容体１１の網目状の部位からこぼれ出ることがないものであれば特に限定されない。固形物Ａの形態としては、グミ状、粒状、カプセル状、シート状、固体状などである。固体物Aの形状は、収容体１１に収容することができれば特に限定されず、例えば、立方体形、直方体形、三角錐形、円錐形、球形、文字や記号を模った形状、またはこれらを組み合わせた形状とすることができる。
【００２８】
ここで、グミ状とは、一定形状を有しており、かつ、ある程度の弾力を有するものをいう。グミ状のものとしては、添加物を適宜調整することで可食性を有していてもよい。こうするこで、誤って食しても使用者に害となることを防止できる。また、予め所定の味の添加物によって適宜調整することで、芳香成分として使用するとともに、使用中及び使用後において使用者が意図的に食することも可能である。
【００２９】
グミ状の固形物Ａとしては、芳香成分を含有した液体にゼラチン物質を浸して、該ゼラチン物質に所定量の芳香成分を予め含有させたものがある。
また、ゲル化作用のある高分子を含有した溶液に、所定量の芳香成分を乳化分散し、ゲル化させたものが挙げられる。ゲル化作用のある高分子としては、ゼラチン、カラギーナン、寒天、ペクチンが挙げられる。これらの組み合わせでもよい。高分子の含有量は、５〜２５質量％が好ましく、７〜２３質量％がより好ましく、１０〜２０質量％が特に好ましい。乳化分散の方法は、特に限定されないが、超音波分散、ホモジナイザー分散が挙げられる。
また、ゼラチンを使用したカプセル内に芳香成分を閉じ込めた構造も挙げられる。カプセル状の場合、セルフカット型カプセルなどが、好適に用いられる。
【００３０】
また、所定の着色物を混ぜ合わせてゼラチン物質に色を付けてもよい。こうすることで、着色されたグミ状の固形物Ａを製造することができる。着色物として、顔料、染料が挙げられる。
【００３１】
シート状の固形物Ａとしては、例えば、少なくとも１層の芳香成分含有層を有するシートを用いることができる。また、シートには、芳香成分含有層に積層された少なくとも１層の芳香成分透過層が形成されていてもよい。
【００３２】
固体状の固形物Ａとしては、芳香成分を含有した固形の物体を用いることができ、固形の物体としては、布、木材、合成樹脂、無機多孔質などを用いることができる。あらかじめ芳香成分を含有したものを成型してもよいし、成型後に芳香成分を含有した液体に浸して芳香成分を含有させてもよい。
【００３３】
芳香成分を含有した固形物Ａを保存する場合には、図３に示すように、保存容器１に収容して保存することができる。保存容器１には、収容した固形物Ａを外部の大気から密閉するため真空チャックなどの密閉シール部１ａが形成されていることが好ましい。
【００３４】
保存容器１の材質は、固形物Ａの芳香成分を遮蔽することができれば特に限定されないが、ポリエステルフイルム、ポリエチレンフイルム、ポリプロピレンフイルム、アルミニウムフイルムなどを袋状に加工した袋や容器が、好適に使用される。また、これらを組み合わせた多層フイルムを加工した袋や容器が好適に使用される。
【００３５】
図５に、本発明にかかる芳香装置の第２実施形態を示す。なお、以下に説明する実施形態において、すでに説明した部材などと同等な構成・作用を有する部材等については、図中に同一符号又は相当符号を付すことにより、説明を簡略化或いは省略する。
【００３６】
本実施形態の芳香装置２０は、収容体２１を構成する収容ケース２２が、透明又は半透明の材料で構成されている。また、収容ケース２２のうち少なくとも一部が透明又は半透明の材料で構成されていてもよい。
【００３７】
ここで、透明又は半透明の材料は、収容体２１の内部を外部から視認することができれば特に限定されず、例えば、ガラス、合成繊維などを用いることができる。また、透明又は半透明の材料の色は、収容体２１の内部の固形物Aを外部から視認することができれば特に限定されず、無色、または、任意の色とすることができる。
【００３８】
本実施形態の芳香装置２０は、収容体２１を構成する収容ケース２２の少なくとも一部が透明又は半透明な材料で構成されていることため、使用者が、収容体２１の蓋部１３を閉じた状態で、収容体２１の内部に収容された固形物Aを透明又は半透明な材料で構成された部位を通して視認することができる。
【００３９】
図６に、本発明にかかる芳香装置の第３実施形態を示す。図６（ａ）は、本実施形態の芳香装置を示す斜視図である。図６（ｂ）は、図６（ａ）を上面から視た状態を示す図である。
【００４０】
本実施形態の芳香装置３０は、略円筒形状を有する収容ケース３２と、該収容ケース３２の端面に着脱可能な蓋部３３とからなる略円筒形状の収容体３１を備えている。
【００４１】
収容体３１の蓋部３３には、連結冶具３４が形成され、連結冶具３４に形成された連結孔３４ａに装着手段として機能する紐部材３５が挿通されている。連結冶具３４、紐部材３５は、上記実施形態と同様のものとすることができる。
【００４２】
収容ケース３２の側面が網目状に形成されており、収容体３１の内部の空間と該収容体３１の外部とを通気させることができる構成である。なお、収容ケース３２の側面のうち少なくとも一部が網目状に形成されていてもよい。また、蓋部３３の少なくとも一部が網目状に形成されていてもよい。
【００４３】
図７に、本発明にかかる芳香装置の第４実施形態を示す。図７（ａ）は、本実施形態の芳香装置を示す斜視図である。図７（ｂ）は、図７（ａ）を上面から視た状態を示す図である。
【００４４】
芳香装置４０は、略三角錐形状を有する収容ケース４２と、該収容ケース４２の頂点部近傍に着脱可能な蓋部４３とからなる略三角錐形状の収容体４１を備えている。
【００４５】
収容体４１の蓋部４３には、連結冶具４４が形成され、連結冶具４４に形成された連結孔４４ａに装着手段として機能する紐部材４５が挿通されている。連結冶具４４、紐部材４５は、上記実施形態と同様のものとすることができる。
【００４６】
収容ケース４２の側面が網目状に形成されており、収容体４１の内部の空間と該収容体４１の外部とを通気させることができる構成である。なお、収容ケース４２の側面のうち少なくとも一部が網目状に形成されていてもよい。また、蓋部４３の少なくとも一部が網目状に形成されていてもよい。
【００４７】
図８、９に、本発明にかかる芳香装置の第５実施形態を示す。図８は、本実施形態の芳香装置を示す図である。図９は、本実施形態の芳香装置の使用例を説明する図である。
【００４８】
本実施形態の芳香装置５０は、携帯電話Ｐに装着して使用することができる構成である。芳香装置５０の基本的な構成は、上記実施形態のものと同じである。しかし、芳香装置５０は、収容体５１に、装着手段として機能するストラップ部材５５が連結されている。ストラップ部材５５の一部には、携帯電話Ｐに装着するための取付部５５ａが形成されている。
【００４９】
図８では、収容体５１として第１実施形態の構成としたが、ストラップ部材５５を取り付けられれば、収容体５１の形状は特に限定されず、例えば、第３，４実施形態のように略円筒形状や三角錐形状としてもよい。
【００５０】
ストラップ部材５５の材料としては、特に限定されないが、合成繊維、布、ゴム、木材、金属、またはこれらの組合わせからなるものを用いることができる。
【００５１】
図１０、１１に、本発明にかかる芳香装置の第６実施形態を示す。図１０は、本実施形態の芳香装置を示す図である。図１１は、本実施形態の芳香装置の使用例を説明する図である。
【００５２】
本実施形態の芳香装置６０は、使用者の手首または腕に装着して使用することができる構成である。芳香装置６０の基本的な構成は、上記実施形態のものと同じである。芳香装置６０は、収容体６１に、装着手段として機能するベルト状部材６５が連結されている。ベルト状部材６５の一部には、図示しないバックル等のベルト留め冶具が形成されていてもよい。
【００５３】
図１０では、収容体６１として第１実施形態と同じ構成としたが、ベルト状部材６５を取り付けられれば、収容体６１の形状は特に限定されず、例えば、第３，４実施形態のように略円筒形状や三角錐形状としてもよい。
【００５４】
ベルト状部材６５の材料としては、特に限定されないが、合成繊維、布、ゴム、木材、金属、またはこれらの組合わせからなるものを用いることができる。
【００５５】
本発明にかかる芳香装置は、装着手段が収容体の一部に形成された安全ピンなどであってもよく、例えば該安全ピンを使用者の衣服の胸ポケットや胸元などにつけることで装着可能なブローチ型としてもよい。
【００５６】
本発明の芳香装置は、芳香成分を含む固形物を収容する収容体の少なくとも一部が網目状に形成されているため、収容体内部で揮発する芳香成分を網目状の部位を通して外部に揮散させることができる。
芳香装置を使用する際には、収容体に予め芳香成分を含んだ固形物を挿入すればよく、従来のように精油を注ぎ込むといった煩雑な作業を行う必要がなく、取り扱いやすい。
また、収容体に単一又は複数の開口を形成する構成にくらべて、網目状に形成することで、揮散させる芳香成分の芳香量を多くすることができ、芳香性能を十分に確保することができる。
さらに、使用者は、網目状の部位から収容体の内部を外見で判別することができ、蓋部を閉じたままの状態で収容体に固形物が収容されているか否かを判別できるため、使い勝手が良い。
【００５７】
なお、本発明は、前述した実施形態に限定されるものではなく、適宜な変形、改良などが可能である。
【図面の簡単な説明】
【００５８】
【図１】本発明の芳香装置の第１実施形態の構成を説明する図である。
【図２】第１実施形態の芳香装置の別の状態を示す図である。
【図３】第１実施形態の芳香装置の使用手順を説明する図である。
【図４】第１実施形態の芳香装置の使用形態の一例を示す図である。
【図５】本発明にかかる芳香装置の第２実施形態を示す。
【図６】本発明にかかる芳香装置の第３実施形態を示す。
【図７】本発明にかかる芳香装置の第４実施形態を示す。
【図８】本発明にかかる芳香装置の第５実施形態を示す図である。
【図９】第５実施形態の芳香装置の使用例を説明する図である。
【図１０】本発明にかかる芳香装置の第６実施形態を示す図である。
【図１１】第６実施形態の芳香装置の使用例を説明する図である。
【図１２】従来の芳香装置の構成を説明する図である。
【符号の説明】
【００５９】
１０，２０，３０，４０，５０，６０  芳香装置
１１，２１，３１，４１，５１，６１  収容体
１５，３５，４５，５５，６５    装着手段
Ａ  固形物
【図１】
2008061813.tif 000003
【図２】
2008061813.tif 000004
【図３】
2008061813.tif 000005
【図４】
2008061813.tif 000006
【図５】
2008061813.tif 000007
【図６】
2008061813.tif 000008
【図７】
2008061813.tif 000009
【図８】
2008061813.tif 000010
【図９】
2008061813.tif 000011
【図１０】
2008061813.tif 000012
【図１１】
2008061813.tif 000013
【図１２】
2008061813.tif 000014